(57)【要約】【課題】スクランブルされている放送を判断し、そのチャンネルをチャンネルアップ／ダウンキーで選局しないようにすることで、チャンネル切り換え時の時間を短縮して快適な選局を実現するデジタル放送受信装置を提供することである。【解決手段】デジタル放送受信装置１０は、受信したチャンネルのパケットのヘッダに含まれるスクランブルに関する情報に基づいて、該チャンネルの放送がスクランブルされているか否かを判別する判別部２５ｃと、スクランブルされていないと判別した場合は、チャンネルマップの該チャンネルに関する記載をチャンネルアップ／ダウンキー１１ａで選局する設定にし、スクランブルされていると判別した場合は、チャンネルマップの該チャンネルに関する記載をチャンネルアップ／ダウンキー１１ａで選局しない設定にするように制御する設定制御部２５ｄとを備えた構成とする。【選択図】図１
2009044582.tif 000002
【特許請求の範囲】
【請求項１】
選局操作に用いられるチャンネルアップ／ダウンキーを有する操作部と、
前記チャンネルアップ／ダウンキーで選局するチャンネルか選局しないチャンネルかを記載したチャンネルマップを記憶する記憶部と、
前記記憶部を制御する制御部とを備えたデジタル放送受信装置において、
前記制御部は、
受信したチャンネルのパケットのヘッダに含まれるスクランブルに関する情報に基づいて、該チャンネルの放送がスクランブルされているか否かを判別し、
スクランブルされていないと判別した場合は、前記チャンネルマップの該チャンネルに関する記載をチャンネルアップ／ダウンキーで選局する設定にし、
スクランブルされていると判別した場合は、前記チャンネルマップの該チャンネルに関する記載をチャンネルアップ／ダウンキーで選局しない設定にすることを特徴とするデジタル放送受信装置。
【請求項２】
前記チャンネルマップへ受信可能なチャンネルを登録するオートスキャンの実行時に、
前記制御部が、
受信したチャンネルのパケットのヘッダに含まれるスクランブルに関する情報に基づいて、該チャンネルの放送がスクランブルされているか否かを判別し、
スクランブルされていないと判別した場合は、前記チャンネルマップの該チャンネルに関する記載をチャンネルアップ／ダウンキーで選局する設定にし、
スクランブルされていると判別した場合は、前記チャンネルマップの該チャンネルに関する記載をチャンネルアップ／ダウンキーで選局しない設定にすることを特徴とする請求項１記載のデジタル放送受信装置。
【請求項３】
前記制御部は、
受信したチャンネルのパケットのヘッダに含まれるスクランブルに関する情報に基づいて、該チャンネルの放送がスクランブルされているか否かを判別する判別部と、
スクランブルされていないと判別した場合は、前記チャンネルマップの該チャンネルに関する記載をチャンネルアップ／ダウンキーで選局する設定にし、スクランブルされていると判別した場合は、前記チャンネルマップの該チャンネルに関する記載をチャンネルアップ／ダウンキーで選局しない設定にするように制御する設定制御部とを備えたことを特徴とする請求項１又は２記載のデジタル放送受信装置。
【請求項４】
前記スクランブルに関する情報は、ＭＰＥＧシステム規格に規定されたtransport_scrambling_controlの２ビットの情報であり、００であれば前記制御部はスクランブルされていないと判別し、０１、１０又は１１であれば前記制御部はスクランブルされていると判別することを特徴とする請求項１〜３の何れかに記載のデジタル放送受信装置。
【請求項５】
前記スクランブルに関する情報は、ＭＰＥＧシステム規格に規定されたPES_scrambling_controlの２ビットの情報であり、００であれば前記制御部はスクランブルされていないと判別し、０１、１０又は１１であれば前記制御部はスクランブルされていると判別することを特徴とする請求項１〜３の何れかに記載のデジタル放送受信装置。
【請求項６】
前記スクランブルに関する情報は、ＭＰＥＧシステム規格に規定されたtransport_scrambling_controlとPES_scrambling_controlとの２ビットの情報であり、どちらか一方又は両方とも００であれば前記制御部はスクランブルされていないと判別し、それ以外であれば前記制御部はスクランブルされていると判別することを特徴とする請求項１〜３の何れかに記載のデジタル放送受信装置。
【請求項７】
ＡＴＳＣ（Advanced Television System Committee）放送を受信することを特徴とする請求項１〜６の何れかに記載のデジタル放送受信装置。
【請求項８】
前記制御部はＭＰＵであり、前記記憶部はＥＥＰＲＯＭであり、受信した映像を出力する表示部と、受信した音声を出力するスピーカとを備えたことを特徴とする請求項１〜７の何れかに記載のデジタル放送受信装置。
【発明の詳細な説明】
【技術分野】
【０００１】
本発明は、液晶テレビなどのデジタル放送受信装置に関し、特にＡＴＳＣ放送を受信するデジタル放送受信装置に有効に利用することができる。
【背景技術】
【０００２】
現在、地上波テレビ放送がアナログ放送からデジタル放送に移行する過渡期にあり、デジタル放送を受信できるデジタル放送受信装置が急速に普及している。
【０００３】
デジタル放送受信装置の多くは、その記憶部に選局可能なチャンネルの一覧である、いわゆるチャンネルマップを保存している。このチャンネルマップは、チャンネルアップ／ダウンキーによる選局にも利用されており、チャンネルアップ／ダウンキーでどのチャンネルを選局するかはメニュー画面から選択可能なチャンネルリストとして表示される。このチャンネルマップにどのような情報を含ませるか、また、チャンネルマップをいつどのようにして作成するかは、メーカによって又は個々の装置によって異なっている。
【０００４】
したがって、チャンネルアップ／ダウンキーで選局するかしないかのチャンネルの基準もメーカによって又は個々の装置によって異なっており、例えば、次の特許文献１〜３のような技術が提案されている。
【０００５】
特許文献１には、テレビ受信機のチャンネル選局のアップ・ダウン選局時に、受信選局したチャンネル毎に視聴契約判定を行い、視聴契約が非契約であると判定されたチャンネルは、そのチャンネルで伝送される番組の番組情報データから有料識別、あるいは、料金データの有無を検出し、前記有料識別、あるいは、料金データが検出されないチャンネルは非契約ＰＰＣ（Pay Par Channel）チャンネルと判定し、前記アップ・ダウン選局時の選局対象チャンネルから除外することにより、非契約ＰＰＣチャンネルの受信再生が回避できると共に、アップ・ダウン選局時の不必要なチャンネル選局を削除可能とした多チャンネルテレビ受信機の選局装置が開示されている。
【０００６】
特許文献２には、テレビチューナと、これに選局制御信号を供給するチューナ制御装置とを有し、チャンネル位置上昇制御（又は下降制御）に基づいて、制御装置から現在のチャンネル位置から１つ上（又は１つ下）のチャンネル位置に対応した受信チャンネルの選局制御信号を発生して、チューナに供給して選局せしめ、その選局による受信信号がスクランブル状態にあるか否かを制御装置によって検出し、スクランブル状態にないときはその受信チャンネルの局の受信を継続し、スクランブル状態にあるときは、再度、制御装置から現在のチャンネル位置から１つ上（又は１つ下）のチャンネル位置に対応した受信チャンネルの選局制御信号を発生して、チューナに供給して選局せしめるようにするテレビ受信装置が開示されている。
【０００７】
特許文献３には、メモリにプリセットされた全てのチャンネルをスキャンして同期信号の有無を判定し、なければチャンネルを削除することで不要チャンネルを自動削除するチャンネル自動プリセット装置が開示されている。
【特許文献１】特開平１１−２５２４７２号公報
【特許文献２】特開平５−１６８０１９号公報
【特許文献３】特開２００１−１６５２４号公報
【発明の開示】
【発明が解決しようとする課題】
【０００８】
デジタル放送にはスクランブルされている放送もあり、上記の特許文献１〜３でもスクランブルされている放送をチャンネルアップ／ダウンキーで選局しないようになっている。しかしながら、上記の特許文献１〜３ではその構成が複雑である。
【０００９】
本発明は、デジタル放送で配信されている情報を利用して簡単にスクランブルされている放送を判断し、そのチャンネルをチャンネルアップ／ダウンキーで選局しないようにすることで、チャンネル切り換え時の時間を短縮して快適な選局を実現するデジタル放送受信装置を提供することを目的とする。
【課題を解決するための手段】
【００１０】
上記目的を達成するために本発明は、選局操作に用いられるチャンネルアップ／ダウンキーを有する操作部と、前記チャンネルアップ／ダウンキーで選局するチャンネルか選局しないチャンネルかを記載したチャンネルマップを記憶する記憶部と、前記記憶部を制御する制御部とを備えたデジタル放送受信装置において、前記制御部は、受信したチャンネルのパケットのヘッダに含まれるスクランブルに関する情報に基づいて、該チャンネルの放送がスクランブルされているか否かを判別し、スクランブルされていないと判別した場合は、前記チャンネルマップの該チャンネルに関する記載をチャンネルアップ／ダウンキーで選局する設定にし、スクランブルされていると判別した場合は、前記チャンネルマップの該チャンネルに関する記載をチャンネルアップ／ダウンキーで選局しない設定にすることを特徴とする。
【００１１】
この構成によれば、パケットのヘッダに含まれるスクランブルに関する情報を参照し、スクランブルされているか否かを判別し、スクランブルされていない場合はチャンネルアップ／ダウンキーで選局する設定にし、スクランブルされている場合はチャンネルアップ／ダウンキーで選局しない設定にすることにより、チャンネルアップ／ダウンキーで選局する際にスクランブルされているチャンネルをスキップすることができる。
【００１２】
上記の制御は、前記チャンネルマップへ受信可能なチャンネルを登録するオートスキャンの実行時に行うことが望ましい。受信可能なチャンネルが変わった場合に、チャンネルアップ／ダウンキーでの選局動作も対応させるためである。
【００１３】
上記のデジタル放送受信装置において、具体的に前記制御部は、受信したチャンネルのパケットのヘッダに含まれるスクランブルに関する情報に基づいて、該チャンネルの放送がスクランブルされているか否かを判別する判別部と、スクランブルされていないと判別した場合は、前記チャンネルマップの該チャンネルに関する記載をチャンネルアップ／ダウンキーで選局する設定にし、スクランブルされていると判別した場合は、前記チャンネルマップの該チャンネルに関する記載をチャンネルアップ／ダウンキーで選局しない設定にするように制御する設定制御部とを備えている。
【００１４】
また上記のデジタル放送受信装置において、前記スクランブルに関する情報として、ＭＰＥＧシステム規格に規定されたtransport_scrambling_controlの２ビットの情報を用いる場合は、００であれば前記制御部はスクランブルされていないと判別し、０１、１０又は１１であれば前記制御部はスクランブルされていると判別すればよい。
【００１５】
また上記のデジタル放送受信装置において、前記スクランブルに関する情報として、ＭＰＥＧシステム規格に規定されたPES_scrambling_controlの２ビットの情報を用いる場合は、００であれば前記制御部はスクランブルされていないと判別し、０１、１０又は１１であれば前記制御部はスクランブルされていると判別すればよい。
【００１６】
また上記のデジタル放送受信装置において、前記スクランブルに関する情報として、ＭＰＥＧシステム規格に規定されたtransport_scrambling_controlとPES_scrambling_controlとの２ビットの情報を用いる場合は、どちらか一方又は両方とも００であれば前記制御部はスクランブルされていないと判別し、それ以外であれば前記制御部はスクランブルされていると判別すればよい。
【００１７】
また上記のデジタル放送受信装置は、ＡＴＳＣ放送を受信する仕様とすることができる。
【００１８】
また上記のデジタル放送受信装置において、具体的には前記制御部はＭＰＵであり、前記記憶部はＥＥＰＲＯＭであり、受信した映像を出力する表示部と、受信した音声を出力するスピーカとを備えていれば、テレビ受像機となる。
【発明の効果】
【００１９】
本発明によると、パケットのヘッダに含まれるスクランブルに関する情報を利用して簡単にスクランブルされている放送を判断し、そのチャンネルをチャンネルアップ／ダウンキーで選局しないようにすることで、チャンネル切り換え時の時間を短縮して快適な選局を実現することができる。
【発明を実施するための最良の形態】
【００２０】
以下では、ＡＴＳＣ規格のデジタル放送受信装置を例に説明する。図１は、デジタル放送受信装置１０の構成を示すブロック図である。デジタル放送受信装置１０は、操作部１１と、チューナ１２と、ＡＴＳＣインターフェース（以下ＡＴＳＣ  ＩＦと記す）１３と、８−ＶＳＢデコーダ１４と、ＩＣ１５と、ＲＡＭ１６と、ＲＯＭ１７と、ＥＥＰＲＯＭ１８と、Ｄ／Ａ変換部１９と、音声信号出力部２０と、スピーカ２１と、ＮＴＳＣエンコーダ２２と、映像信号出力部２３と、表示部２４と、ＭＰＵ２５とを備えている。
【００２１】
操作部１１は、ユーザが選局操作等の各種操作を行うための複数のキーから構成されている。そのキーの１つにチャンネルアップ／ダウンキー１１ａがあり、チャンネルアップキーは１チャンネル毎に番号の昇順に選局するキーであり、チャンネルダウンキーは１チャンネル毎に番号の降順に選局するキーである。チャンネルアップ／ダウンキー１１ａの選局指示は後述するチャンネルマップ内のチャンネルアップ／ダウンキー１１ａで選局するかしないかの項目（Add/Del項目）内容に基づいている。
【００２２】
また、操作部１１のキーの１つにカーソルキー１１ｂがあり、これはメニュー画面などで各項目を選択するためのカーソルを移動させるキーである。カーソルキー１１ｂは、例えば、後述するチャンネルリスト上で所望のチャンネルを選択するカーソルを移動させるのに用いられる。
【００２３】
また、操作部１１のキーの１つにエンターキー１１ｃがあり、これはカーソルキー１１ｂで選択した項目を決定するキーである。エンターキー１１ｃは、例えば、チャンネルリスト上で所望のチャンネルがカーソルで選択された状態においてチャンネルアップ／ダウンキー１１ａで選局するチャンネルか選局しないチャンネルかを切り換えるのに用いられる。なお、操作部１１は赤外線などで遠隔操作可能なリモコンとしてもよい。
【００２４】
チューナ１２は、デジタル放送波を受信するアンテナ３０に接続されており、アンテナ３０で受信したデジタル放送波から所望のチャンネルを選局するものである。ＡＴＳＣ  ＩＦ１３は、チューナ１２からデジタル出力波を取り出すものである。８−ＶＳＢデコーダ１４は、ＡＴＳＣ  ＩＦ１３から受け取ったデジタル出力波をデータに復調するものである。
【００２５】
ＩＣ１５は、ＴＳデマルチプレクサ１５ａとＭＰＥＧ−２デコーダ１５ｂとを有している。ＴＳデマルチプレクサ１５ａは、８−ＶＳＢデコーダ１４で復調されたデータを種別毎（ＶＣＴ、ＥＩＴ、映像データ、音声データなど）に分離するものである。ＭＰＥＧ−２デコーダ１５ｂは、ＴＳデマルチプレクサ１５ａで分離されたデータを圧縮前のデータに復号化するものである。
【００２６】
ＲＡＭ１６は、ＴＳデマルチプレクサ１５ａで分離されたデータを一時的に記憶しておくものである。ＲＯＭ１７は、デジタル放送受信装置１０の動作に必要な情報を記憶しているものである。ＥＥＰＲＯＭ１８は、記憶部の１つであり、チャンネルマップやチャンネルリストを記憶しておくものである。
【００２７】
チャンネルマップは、選局可能なチャンネルの一覧であり、少なくとも物理チャンネルと仮想チャンネルとチャンネルアップ／ダウンキー１１ａで選局するかしないかの項目とを対応させたものであり、オートスキャンの実行や後述するAuto Add機能などによって作成される。一方、チャンネルリストは、チャンネルアップ／ダウンキー１１ａで選局するかしないかの項目を設定可能に表示するフレームであり、チャンネルマップに基づいて作成される。チャンネルリストはメニュー画面から表示させることができ、ユーザはチャンネルリスト上で各チャンネルについて選局するか否かを設定変更できる。チャンネルリスト上で設定変更された内容はチャンネルマップに反映される。
【００２８】
Ｄ／Ａ変換部１９は、ＩＣ１５から出力された音声データをアナログ化するものである。音声信号出力部２０は、Ｄ／Ａ変換部１９によりアナログ化された音声データを出力するものである。スピーカ２１は音声信号出力部２０からの音声を放音するものである。
【００２９】
ＮＴＳＣエンコーダ２２は、ＭＰＥＧ−２デコーダ１５ｂで復号化された映像データをＮＴＳＣ復号テレビジョン信号に復号化するものである。映像信号出力部２３は、ＮＴＳＣエンコーダ２２で復号化されたＮＴＳＣ復号テレビジョン信号を出力するものである。表示部２４は、映像信号出力部２３からの映像を表示するものであり、液晶パネルなどからなる。
【００３０】
ＭＰＵ２５はデジタル放送受信装置１０の動作を制御するものであり、比較部２５ａや登録制御部２５ｂや判別部２５ｃや設定制御部２５ｄなどを備えている。比較部２５ａは、受信した物理チャンネルの仮想チャンネル情報（ここではＶＣＴ（Virtual Channel Table）に含まれる仮想チャンネル番号）とチャンネルマップとを比較するものである。登録制御部２５ｂは、チャンネルマップの登録チャンネルの書き換えを制御するものであり、例えば未登録の仮想チャンネルをチャンネルマップに登録するように制御する。
【００３１】
判別部２５ｃは、受信したチャンネルのパケットのヘッダに含まれるスクランブルに関する情報（ここではＭＰＥＧシステム規格に規定されたtransport_scrambling_controlやPES_scrambling_controlの２ビットの情報）に基づいて、放送がスクランブルされているか否かを判別するものである。設定制御部２５ｄは、チャンネルマップのチャンネルアップ／ダウンキー１１ａで選局するかしないかの項目（Add/Del項目）内容の書き換えを判別部２５ｃの判別結果に基づいて設定するものである。以下、チャンネルアップ／ダウンキー１１ａで選局しない（スキップする）設定をDel設定と呼び、チャンネルアップ／ダウンキー１１ａで選局する設定をAdd設定と呼ぶ。
【００３２】
なお、チャンネルマップの登録内容が書き換えられた場合、その内容はチャンネルリストにも反映される。
【００３３】
次に、デジタル放送受信装置１０がデジタル放送を受信するときの動作について説明する。まず、アンテナ３０でデジタル放送波を受信する。操作部１１が選局操作されると、チューナ１２は受信するトランスポンダの切り換えを行う。受信したデジタル放送波はＡＴＳＣ  ＩＦ１３を介して８−ＶＳＢデコーダ１４によりデータに復調される。
【００３４】
もともとデジタル放送波は送信側からＴＳパケットの形で伝送されてくる。ＴＳパケットは映像データ、音声データ、ＶＣＴ等を含む制御データからなり、この制御データをＩＣ１５のＴＳデマルチプレクサ１５ａにより分離してＲＡＭ１６に記憶する。そして、ＲＡＭ１６から読み出したデータをＭＰＥＧ−２デコーダにより圧縮前のデータに復号化する。次に、音声データをＤ／Ａ変換部１９によりアナログ化し、音声信号出力部２０を介してスピーカ２１から音声を放音する。また映像データをＮＴＳＣエンコーダ２２によりＮＴＳＣ復号テレビジョン信号に復号化し、映像信号出力部２３を介して表示部２４に映像を表示する。
【００３５】
そして、ユーザによる選局操作は、操作部１１のテンキー（不図示）で直接仮想チャンネルを入力することにより行われたり、チャンネルアップ／ダウンキー１１ａを操作することにより行われる。ここで、仮想チャンネルはメインチャンネルとサブチャンネルとからなる。図２はＶＣＴの一例を示しており、major num.がメインチャンネル、minor num.がサブチャンネルに対応している。なお、図２でminor num.が「０」の仮想チャンネルはアナログ放送であることを示す。以下、メインチャンネルとサブチャンネルとの番号間は「−」で区切るものとし、例えばメインチャンネルが１２でサブチャンネルが３４の場合は、「１２−３４」と記すものとする。
【００３６】
次に、オートスキャン実行時のチャンネルマップへの登録動作について説明する。オートスキャンとは、チャンネルマップへ受信可能なチャンネルを登録するために、自動で全ての周波数帯域を順番にスキャンして受信可能なチャンネルを探す機能である。図３は、オートスキャン実行時のチャンネルマップへの登録に関するデジタル放送受信装置１０の動作を示すフローチャートである。
【００３７】
まず、操作部１１が操作されてオートスキャンの実行が指示されると、ステップＳ１０においてデジタル放送受信装置１０はオートスキャンを開始する。そしてステップＳ１１へ進んでチャンネルを受信できたか否かを判別する。この判別は、例えばある物理チャンネルについてそのＶＣＴが取得できれば、その物理チャンネルは受信可能であると判別すればよい。
【００３８】
ステップＳ１１においてチャンネルを受信できなかった場合は、ステップＳ１５へ進む。一方、ステップＳ１１においてチャンネルを受信できた場合は、ステップＳ１２へ進んで受信したチャンネルのパケットのヘッダに含まれるスクランブルに関する情報に基づいて、該チャンネルの放送がスクランブルされているか否かを判別する。ここで、スクランブルに関する情報とは、ＭＰＥＧシステム規格（ISO/IEC 13818-1）に規定されたＴＳのtransport_scrambling_control又はＰＥＳ（Packetized Elementary Stream）のPES_scrambling_controlの２ビットの情報であり、００、０１、１０又は１１の値をとり得る。
【００３９】
transport_scrambling_control及びPES_scrambling_controlにおいて、００はスクランブルされていないことを示しており、０１、１０及び１１は放送局が規定できることになっている。そこで、本実施形態では、００の場合はスクランブルされていないと判別し、０１、１０又は１１の場合はスクランブルされていると判別することにする。
【００４０】
スクランブルされているか否かの判別には、transport_scrambling_control又はPES_scrambling_controlのどちらか一方のみを参照してその値のみから判別すればよい。また、transport_scrambling_control及びPES_scrambling_controlの両方を参照してどちらか一方の値又は両方の値とも００であればスクランブルされていないと判別し、それ以外、つまり両方の値が０１、１０又は１１であればスクランブルされていると判別するようにしてもよい。
【００４１】
規格ではtransport_scrambling_control及びPES_scrambling_controlの両方が配信されていることになっているが、現実の放送ではどちらか一方しかない場合もあるので、transport_scrambling_control及びPES_scrambling_controlの両方を参照する方が確実である。
【００４２】
このようにしてステップＳ１２においてスクランブルされているか否かを判別し、スクランブルされていないと判別した場合は、ステップＳ１３へ進んでその仮想チャンネルを物理チャンネルに対応させてチャンネルマップへ登録するとともに、そのAdd/Del項目をAdd設定にする。
【００４３】
一方、ステップＳ１２においてスクランブルされていると判別した場合は、ステップＳ１４へ進んでその仮想チャンネルを物理チャンネルに対応させてチャンネルマップへ登録するとともに、そのAdd/Del項目をDel設定にする。
【００４４】
そしてステップＳ１３、Ｓ１４からはステップＳ１５へ進んで全てのチャンネルをスキャンしたか否かを判別する。ステップＳ１５において全てのチャンネルをスキャンしてしまった場合はステップＳ１６へ進んでオートスキャンを終了する。一方、ステップＳ１５においてまだ全てのチャンネルをスキャンしていない場合はステップＳ１７へ進んで次のチャンネルをスキャンし、ステップＳ１１に戻ってチャンネルマップへの登録を続ける。
【００４５】
このような処理により、Add設定されたチャンネルはチャンネルアップ／ダウンキー１１ａで選局され、Del設定されたチャンネルはチャンネルアップ／ダウンキー１１ａで選局されない。
【００４６】
例えば、オートスキャンにより物理チャンネル「１」を選局し、そのＶＣＴを受信することができると、物理チャンネル「１」は受信可能であると判別する。例えばＶＣＴに仮想チャンネルとして「１−１」、「１−２」、「１−３」が記載されていた場合、さらに、それぞれの仮想チャンネルのパケットのヘッダに含まれるtransport_scrambling_control及びPES_scrambling_controlの値を参照する。
【００４７】
その結果、例えばチャンネル「１−１」のtransport_scrambling_control及びPES_scrambling_controlの値が両方とも００であり、チャンネル「１−２」のtransport_scrambling_control及びPES_scrambling_controlの値が両方とも００であり、チャンネル「１−３」のtransport_scrambling_control及びPES_scrambling_controlの値が両方とも０１であった場合は、図４に示すように、チャンネルマップ４０に物理チャンネル「１」に対応させて仮想チャンネル「１−１」を登録するとともに、そのAdd/Del項目をAdd設定にし、続けて、物理チャンネル「１」に対応させて仮想チャンネル「１−２」を登録するとともに、そのAdd/Del項目をAdd設定にし、続けて、物理チャンネル「１」に対応させて仮想チャンネル「１−３」を登録するとともに、そのAdd/Del項目をDel設定にする。
【００４８】
これにより、物理チャンネル「１」において、Add設定された仮想チャンネル「１−１」及び「１−２」はチャンネルアップ／ダウンキー１１ａで選局され、Del設定された仮想チャンネル「１−３」はチャンネルアップ／ダウンキー１１ａで選局されない。
【００４９】
このように、オートスキャンの実行時にパケットのヘッダに含まれるスクランブルに関する情報も参照し、スクランブルされているか否かを判別し、スクランブルされていない場合はチャンネルマップのAdd/Del項目をAdd設定にし、スクランブルされている場合はチャンネルマップのAdd/Del項目をDel設定にすることにより、チャンネルアップ／ダウンキー１１ａで選局する際にスクランブルされているチャンネルをスキップすることができる。したがって、チャンネル切り換え時の時間を短縮して快適な選局を実現することができる。
【００５０】
次に、通常の選局操作を行っているだけで、チャンネルマップに未登録の新たな仮想チャンネルがあれば自動的に登録されるAuto Add（自動付加）機能について説明する。図５は、Auto Add機能に関するデジタル放送受信装置１０の動作を示すフローチャートである。
【００５１】
まず、選局操作などにより選局され、ステップＳ２０においてＭＰＵ２５がある物理チャンネルのＶＣＴを取得した場合、ステップＳ２１へ進んで比較部２５ａが、ＶＣＴに含まれる仮想チャンネル番号とチャンネルマップの仮想チャンネル番号とを比較する。そして、ステップＳ２２へ進んでチャンネルマップに未登録の仮想チャンネルがＶＣＴにあれば、ステップＳ２３へ進んで受信したチャンネルのパケットのヘッダに含まれるスクランブルに関する情報に基づいて、該チャンネルの放送がスクランブルされているか否かを判別する。この判別方法は図３で説明した通りである。
【００５２】
ステップＳ２３においてスクランブルされていないと判別した場合は、ステップＳ２４へ進んでその仮想チャンネルを物理チャンネルに対応させてチャンネルマップへ登録するとともに、そのAdd/Del項目をAdd設定にする。
【００５３】
一方、ステップＳ２３においてスクランブルされていると判別した場合は、ステップＳ２５へ進んでその仮想チャンネルを物理チャンネルに対応させてチャンネルマップへ登録するとともに、そのAdd/Del項目をDel設定にする。
【００５４】
例えば、あるチャンネルを受信中に、選局操作により物理チャンネル「４」が選局されると、物理チャンネル「４」のＶＣＴを受信する。このとき、図６に示すように、現在のチャンネルマップ５０には、物理チャンネル「４」に対応する仮想チャンネルは「５５−１」のみが登録されているものとする。
【００５５】
そして、このＶＣＴに含まれている仮想チャンネル番号を抽出し、抽出した仮想チャンネル番号が、例えば、「５５−１」、「５５−２」、「５５−３」であったとする。そして、これら３つの仮想チャンネル番号と図６のチャンネルマップ５０の物理チャンネル「４」に対応する仮想チャンネルとを比較する。比較の結果、ＶＣＴから抽出された「５５−１」は既にチャンネルマップ５０に登録されており、ＶＣＴから抽出された「５５−２」及び「５５−３」はチャンネルマップ５０に未登録であることがわかる。そこで、チャンネルマップ５０に未登録である「５５−２」及び「５５−３」を追加登録することにより、チャンネルマップ５０は、図７に示すチャンネルマップ６０に更新される。このとき、何れの仮想チャンネルもスクランブルされていないと判別されたものとする。
【００５６】
上記のように物理チャンネル「４」が選局された場合は、その時点で表示部２４に表示される番組は「５５−１」チャンネルである。その後直ぐにチャンネルマップ６０に更新されるので、この状態からチャンネルアップキーが操作されると、チャンネルマップ６０にしたがって「５５−２」、「５５−３」、「６０−１」・・・の順に選局される。
【００５７】
このように、通常の選局操作を行っているだけで、チャンネルマップに未登録の新たなチャンネルがあればAuto Add機能によって自動的に登録され、チャンネルアップ／ダウンキーで新たなチャンネルも選局可能になる。したがって、ユーザはチャンネルマップへ登録するための特別な登録操作をする必要がなく、またチャンネルマップへの登録を意識することもないので、非常に使い勝手が良い。
【００５８】
さらに、登録する際、パケットのヘッダに含まれるスクランブルに関する情報も参照し、スクランブルされているか否かを判別し、スクランブルされていない場合はチャンネルマップのAdd/Del項目をAdd設定にし、スクランブルされている場合はチャンネルマップのAdd/Del項目をDel設定にすることにより、チャンネルアップ／ダウンキー１１ａで選局する際にスクランブルされているチャンネルをスキップすることができる。したがって、チャンネル切り換え時の時間を短縮して快適な選局を実現することができる。
【００５９】
次に、チャンネルマップには登録されているが受信したＶＣＴには含まれていない仮想チャンネル番号があった場合は、そのままにしておいてもよいし、チャンネルマップから該当の仮想チャンネル番号を削除してもよい。例えば、現在、図６のチャンネルマップ５０を有しており、受信したＶＣＴに含まれている仮想チャンネル番号が「５５−２」「５５−３」である場合が考えられる。
【００６０】
このとき、そのままにしておく製品仕様であれば、「５５−１」はそのまま残されるので、チャンネルマップ５０は図７のチャンネルマップ６０のように更新される。この仕様によれば、一度でも受信可能になった仮想チャンネル番号は保持され、チャンネルアップ／ダウンキー１１ａでいつでも選局可能である。但し、選局したチャンネルによっては現在放送されていない場合もある。
【００６１】
一方、削除する製品仕様であれば、「５５−１」は削除されるので、チャンネルマップ５０は図８のチャンネルマップ７０のように更新される。この仕様によれば、現在放送中でない仮想チャンネル番号がチャンネルマップから削除されるので、チャンネルアップ／ダウンキー１１ａで選局した場合に、現在放送されていないチャンネルを選局することがない。
【００６２】
次に、チャンネルリストについて詳しく説明する。図９は、チャンネルリストの設定に関するデジタル放送受信装置１０の動作を示すフローチャートである。
【００６３】
まず、ユーザにより操作部１１が操作されてメニュー画面の中からチャンネルリストを表示させる項目「チャンネル」が選択決定されると、ステップＳ３０においてＭＰＵ２５はＥＥＰＲＯＭ１８からチャンネルリストを読み出して表示部２４に表示させる。図１０にチャンネルリストフレーム８０の一例を示す。チャンネルリストフレーム８０の左端にはメニュー８１が表示され、メニューの１項目としてチャンネル８１aがある。図１０ではチャンネル８１aはハイライト表示されており、それが選択決定されたことを示している。
【００６４】
また、チャンネルリストフレーム８０の右端にはチャンネルマップに登録されている仮想チャンネルが表示されており、１−１、１−２、３−１、５５−１、５５−２、５５−３チャンネルがハイライト表示されている。このハイライト表示はAdd設定の状態であることを示している。一方、１−３チャンネルは通常表示されており、これはDel設定の状態であることを示している。
【００６５】
また、１−１チャンネルを囲んでいる太枠がカーソル８２を示している。１−１チャンネルの上及び５５−３チャンネルの下にある三角印はそれぞれの方向にカーソル８２を移動させれば更なるチャンネルがスクロール表示されることを示している。
【００６６】
図９の説明に戻り、ステップＳ３０でチャンネルリストが表示されると、ステップＳ３１へ進んでチャンネルリスト内の何れかのチャンネルが選択されたか否かを判別する。チャンネルの選択は、カーソルキー１１ｂが操作されて所望のチャンネルにカーソル８２を移動させることで行われる。
【００６７】
ステップＳ３１においてチャンネルリスト内の何れかのチャンネルが選択されれば、ステップＳ２２へ進んで選択されたチャンネルを選局し表示する。表示は画面中央の空きスペースに収まる大きさで表示させればよい。なお、チャンネルリストフレームを表示させた最初の時点ではデフォルトのチャンネル（例えば１−１チャンネル）上にカーソルを位置させ、そのチャンネルを選局して表示させればよい。
【００６８】
続いてステップＳ３３へ進んでエンターキー１１ｃが押下されたか否かを判別する。エンターキー１１ｃの操作によりAdd設定とDel設定とを切り換えるためである。ステップＳ３３においてエンターキー１１ｃが押下されれば、ステップＳ３４へ進んで現在選択されているチャンネルがAdd設定であるか否かを判別する。一方、ステップＳ３３においてエンターキー１１ｃが押下されなければ、ステップＳ３１に戻る。
【００６９】
ステップＳ３４においてAdd設定であった場合は、ステップＳ３５へ進んでDel設定に切り換え、そのチャンネルのハイライト表示を通常の表示に戻す。一方、ステップＳ３４においてAdd設定でなかった場合、つまりDel設定であった場合は、ステップＳ３６へ進んでAdd設定に切り換え、そのチャンネル表示をハイライト表示にする。例えば、オートスキャンでスクランブルされていると判断されたチャンネルをAdd設定に切り換えることもできる。ステップＳ３５又はステップＳ３６により所望のチャンネルのAdd設定とDel設定との切り換えが完了する。
【００７０】
そして、ステップＳ３５又はステップＳ３６からはステップＳ３１に戻る。なお、上記の処理中、操作部１１のバックキー（不図示）を押せば１つ前の画面に戻ることができ、キャンセルキー（不図示）を押せばチャンネルリストの表示を終了し、メニュー画面に戻る。そして、チャンネルリスト上で変更された内容はチャンネルマップへ反映される。
【００７１】
このように、チャンネルリストを利用して手動で所望のチャンネルのAdd設定とDel設定とを切り換えることもできる。
【００７２】
なお、上記の実施形態においては、デジタル放送受信装置１０にスピーカ２１及び表示部２４を内蔵するデジタルテレビ等について説明したが、本発明は、スピーカ２１及び表示部２４を有さないチューナ装置であるセットトップボックス（ＳＴＢ）やビデオ装置にも適用できる。
【００７３】
なお、本発明のデジタル放送受信装置は、ＡＴＳＣ規格に適用されるだけでなく、パケットのヘッダにスクランブルに関する情報が含まれている規格であれば、他の規格にも適用することができる。
【産業上の利用可能性】
【００７４】
本発明のデジタル放送受信装置は、液晶テレビなどのテレビ受像機をはじめ、チューナ装置であるＳＴＢ、ビデオ装置であるビデオカセットレコーダやＤＶＤレコーダやハードディスクレコーダ、それらの複合機、デジタル放送受信機能付き携帯電話機などに利用することができる。
【図面の簡単な説明】
【００７５】
【図１】本発明のデジタル放送受信装置の構成を示すブロック図である。
【図２】ＶＣＴの一例である。
【図３】本発明のオートスキャン実行時のチャンネルマップへの登録に関するデジタル放送受信装置の動作を示すフローチャートである。
【図４】本発明のチャンネルマップの一例を示す図である。
【図５】本発明のAuto Add機能に関するデジタル放送受信装置の動作を示すフローチャートである。
【図６】本発明のチャンネルマップの一例を示す図である。
【図７】本発明のチャンネルマップの一例を示す図である。
【図８】本発明のチャンネルマップの一例を示す図である。
【図９】本発明のチャンネルリストの設定に関するデジタル放送受信装置の動作を示すフローチャートである。
【図１０】本発明のチャンネルリストフレームの一例を示す図である。
【符号の説明】
【００７６】
１０    デジタル放送受信装置
１１    操作部
１１ａ    チャンネルアップ／ダウンキー
１８    ＥＥＰＲＯＭ（記憶部）
２１    スピーカ
２４    表示部
２５    ＭＰＵ（制御部）
２５ｃ    判別部
２５ｄ    設定制御部
５０、６０、７０    チャンネルマップ
【図１】
2009044582.tif 000003
【図２】
2009044582.tif 000004
【図３】
2009044582.tif 000005
【図４】
2009044582.tif 000006
【図５】
2009044582.tif 000007
【図６】
2009044582.tif 000008
【図７】
2009044582.tif 000009
【図８】
2009044582.tif 000010
【図９】
2009044582.tif 000011
【図１０】
2009044582.tif 000012